(57)【特許請求の範囲】
【請求項１】
布団を収納する布団カバーであって、
この布団カバーは、布団を出し入れする開口部を備え、
この開口部の縁部である開口縁部の対向する部位は、一方の側の部位と他方の側の部位であり、
前記一方の側の部位に係止部材、前記他方の側の部位に前記係止部材に係止される被係止部材が取り付けられ、
前記係止部材は、前記一方の側の部位に取り付けられる所定幅で直線的に延びる第１の平坦面状部材と、この第１の平坦面状部材の先端側に取り付けられ、左右側方に所定幅で張り出す第２の平坦面状部材とを有し、
前記被係止部材は、前記他方の側の部位に取り付けられた跨り部材と、この跨り部材と他方の側の部位の表側の前記布団カバーとで形成された表側の通路と前記跨り部材と他方の側の部位の裏側の前記布団カバーとで形成された裏側の通路とにそれぞれ挿通され、移動自在に支持されたループ状部材とを有し、
前記跨り部材は、一端部を前記他方の側の部位の表側の前記布団カバーに取り付けられ、中途部を前記開口縁部に取り付けられ、他端部を前記他方の側の部位の裏側の前記布団カバーに取り付けられ、
前記表側の通路は、前記跨り部材の前記一端部と前記中途部との間の部位と該間の部位に対向する表側の前記布団カバーの部位とで形成された空間であり、
前記裏側の通路は、前記跨り部材の前記中途部と前記他端部との間の部位と該間の部位に対向する裏側の前記布団カバーの部位とで形成された空間であり、
前記第２の平坦面状部材が前記ループ状部材の開口部へ挿入できる位置まで前記ループ状部材をスライドさせ、前記第２の平坦面状部材をスライドした前記ループ状部材の開口部内を挿通させ、前記ループ状部材を前記スライドの方向と逆方向にスライドさせて、前記第２の平坦面状部材を前記ループ状部材と前記跨り部材の前記中途部に係止させて、前記第２の平坦面状部材の移動を規制する
ことを特徴とする布団カバー。
【請求項２】
係止部材及び被係止部材は、共に扁平した形状で、且つ、布製である
ことを特徴とする請求項１記載の布団カバー。
【発明の詳細な説明】
【技術分野】
【０００１】
本発明は、布団カバーに係り、特に、布団の出し入れの作業性を向上させた布団カバーに関する。
【背景技術】
【０００２】
従来、布地を封筒状に形成した袋体の一部に開口部を有した布団カバーがあり、前記開口部を介して布団を出し入れできるようにすると共に、収納した布団が袋体の外へはみ出ないように、開口縁部にボタン、面状ファスナー、紐等を設けて前記開口部を閉じるようにしている。
【発明の概要】
【発明が解決しようとする課題】
【０００３】
ところが、前記ボタンにあっては、前記ボタンが割れたり、布団カバーから前記ボタンが容易に取れたり、また、前記面状ファスナーにあっては、アイロンの熱により破損したり、また、前記紐にあっては、前記紐を結んだり、外したりしなければならず、特に、手が不自由な人にとっては、作業性が良くない上に、洗濯時、絡んで解けにくくなったり、絡んで布団カバーから取れたりするという問題点があった。
【０００４】
本発明は、上記の問題点を考慮してなされたもので、布団の出し入れの作業性を向上させた布団カバーを提供することを目的とする。
【課題を解決するための手段】
【０００５】
請求項１記載の布団カバーは、布団を収納する布団カバーであって、この布団カバーは、布団を出し入れする開口部を備え、この開口部の縁部である開口縁部の対向する部位は、一方の側の部位と他方の側の部位であり、前記一方の側の部位に係止部材、前記他方の側の部位に前記係止部材に係止される被係止部材が取り付けられ、前記係止部材は、前記一方の側の部位に取り付けられる所定幅で直線的に延びる第１の平坦面状部材と、この第１の平坦面状部材の先端側に取り付けられ、左右側方に所定幅で張り出す第２の平坦面状部材とを有し、前記被係止部材は、前記他方の側の部位に取り付けられた跨り部材と、この跨り部材と他方の側の部位の表側の前記布団カバーとで形成された表側の通路と前記跨り部材と他方の側の部位の裏側の前記布団カバーとで形成された裏側の通路とにそれぞれ挿通され、移動自在に支持されたループ状部材とを有し、前記跨り部材は、一端部を前記他方の側の部位の表側の前記布団カバーに取り付けられ、中途部を前記開口縁部に取り付けられ、他端部を前記他方の側の部位の裏側の前記布団カバーに取り付けられ、前記表側の通路は、前記跨り部材の前記一端部と前記中途部との間の部位と該間の部位に対向する表側の前記布団カバーの部位とで形成された空間であり、前記裏側の通路は、前記跨り部材の前記中途部と前記他端部との間の部位と該間の部位に対向する裏側の前記布団カバーの部位とで形成された空間であり、前記第２の平坦面状部材が前記ループ状部材の開口部へ挿入できる位置まで前記ループ状部材をスライドさせ、前記第２の平坦面状部材をスライドした前記ループ状部材の開口部内を挿通させ、前記ループ状部材を前記スライドの方向と逆方向にスライドさせて、前記第２の平坦面状部材を前記ループ状部材と前記跨り部材の前記中途部に係止させて、前記第２の平坦面状部材の移動を規制するものである。
【０００６】
また、請求項２記載の布団カバーは、請求項１記載の布団カバーにおいて、係止部材及び被係止部材は、共に扁平した形状で、且つ、布製である。
【発明の効果】
【０００７】
請求項１記載の布団カバーによれば、従来のように、紐を結んだり、外したりせず、第２の平坦面状部材がループ状部材の開口部へ挿入できる位置まで前記ループ状部材をスライドさせ、前記第２の平坦面状部材をスライドした前記ループ状部材の開口部内を挿通させ、前記ループ状部材を前記スライドの方向と逆方向にスライドさせて、前記第２の平坦面状部材を前記ループ状部材に係止させて、前記第２の平坦面状部材の移動を規制するため、開口部の開閉が簡易となり作業性を向上させ、特に、手が不自由な人にとっては、頗る便利となる効果を有する。
【０００８】
また、請求項２記載の布団カバーによれば、従来のように、紐を結んだり、外したりせず、第２の平坦面状部材がループ状部材の開口部へ挿入できる位置までループ状部材をスライドさせ、前記第２の平坦面状部材をスライドした前記ループ状部材の開口部内を挿通させ、ループ状部材を前記スライドの方向と逆方向にスライドさせて、第２の平坦面状部材をループ状部材に係止させて、第２の平坦面状部材の移動を規制するため、開閉が簡易となり作業性を向上させ、特に、手が不自由な人にとっては、頗る便利となり、しかも、係止部材及び被係止部材は、共に扁平した形状で、且つ、布製であるため、傷付けることなく洗濯することができる。
【図面の簡単な説明】
【０００９】
【図１】図１は、本発明の一実施例の布団カバーの概略的斜視図である。
【図２】図２は、図１の一部を拡大して示す概略的一部拡大斜視図である。
【図３】図３は、図１の布団カバーに布団を入れる状態を示す概略的斜視図である。
【図４】図４は、図３の一部を拡大して示す概略的一部拡大斜視図である。
【図５】図５は、図３の布団カバー内に布団を入れ、係止部材を被係止部材に係止する前の状態の概略的斜視図である。
【図６】図６は、図５の係止部材を被係止部材のループ状部材に挿通させた状態の概略的斜視図である。
【図７】図７は、図６の被係止部材のループ状部材を図６の矢印方向にスライドさせ、係止部材を被係止部材に係止させた状態の概略的斜視図である。
【図８】図８は、図２の被係止部材のループ状部材を製作する過程を示した概略的斜視図である。
【図９】図９は、図８記載のものを図８の矢印方向に折って扁平状態にした概略的斜視図である。
【図１０】図１０は、図９記載のものを図９の矢印方向に折って扁平状態にした概略的斜視図である。
【図１１】図１１は、図１０記載のループ状部材が跨り部材に取り付けられる前の状態を示す概略的斜視図である。
【図１２】図１２は、図１１記載のループ状部材が跨り部材に取り付けられた状態を示す概略的斜視図である。
【図１３】図１３は、図１２の１３−１３線による概略的断面図である。
【図１４】図１４は、図２の係止部材を一方の側の部位に取り付ける前の状態を示す概略的斜視図である。
【図１５】図１５は、図１４の係止部材を一方の側の部位に取り付けた状態を示す概略的斜視図である。
【図１６】図１６は、図１５の１６−１６線による概略的断面図である。
【図１７】図１７は、図１の係止部材、被係止部材を衣服に取り付けた状態の概略的正面図である。
【発明を実施するための形態】
【００１０】
本発明の一実施例の布団カバー及び係止体を図面を参照して説明する。
図１に示す１は布団カバーで、布団カバー１は、掛け布団、敷き布団等の布団２を収納するためのカバーであって、このカバーは布地を封筒状に形成した袋体であり、表生地１ａと裏生地１ｂを重ね合わせて、前縁１Ａ、一方の側縁１Ｂ及び下縁１Ｃを縫い合わせている。なお、他方の側縁１Ｄにあっては、他方の側縁１Ｄの一部を残して縫い合わせし、他方の側縁１Ｄの縫い合わせていない部分が布団２を出し入れする開口部１Ｅとなっている。
【００１１】
開口部１Ｅの縁部である開口縁部の対向する部位は、一方の側の部位１ｅと他方の側の部位１ｅ’で、一方の側の部位１ｅに係止部材３、他方の側の部位１ｅ’に係止部材３に係止される被係止部材４が、例えば、縫製により取り付けられている。
係止部材３は、例えば、扁平した形状で、且つ、布製であり、一方の側の部位１ｅに取り付けられる所定幅で直線的に延びる第１の平坦面状部材３ａと、この第１の平坦面状部材３ａの先端側に取り付けられ、左右側方に所定幅で張り出す第２の平坦面状部材３ｂとを有し、一方の側の部位１ｅに、例えば、縫製により取り付けられている（図１４乃至図１６参照）。
【００１２】
被係止部材４は、例えば、扁平した形状で、且つ、布製であり、他方の側の部位１ｅ’に取り付けられた跨り部材４ａと、この跨り部材４ａと表側の布団カバー１とで形成された表側の通路Ｐ１(図１３参照)と跨り部材４ａと裏側の布団カバー１とで形成された裏側の通路Ｐ２(図１３参照)とにそれぞれ挿通され、移動自在に支持されたループ状部材（扁平環状体）４ｂとを有している。
ループ状部材（扁平環状体）４ｂは、図８に示す部材を図８に示す方向に折って、扁平状態とし（図９参照）、図１０に鎖線で示すように縫製し、跨り部材４ａに取り付けられる（図１１乃至図１３）。
即ち、跨り部材４ａは、例えば、帯状部材で、一端部４ａ１を他方の側の部位１ｅ’の表側の布団カバー１に取り付けられ、中途部４ａ２を開口縁部（開口部１Ｅ）に取り付けられ、他端部４ａ３を他方の側の部位１ｅ’の裏側の布団カバー１に取り付けられている。
上述した表側の通路Ｐ１は、図１３に示すように、跨り部材４ａの一端部４ａ１と中途部４ａ２との間の部位と該間の部位に対向する表側の布団カバー１の部位とで形成された空間であり、また、上述した裏側の通路Ｐ２も、図１３に示すように、跨り部材４ａの中途部４ａ２と他端部４ａ３との間の部位と該間の部位に対向する裏側の布団カバー１の部位とで形成された空間である。
ループ状部材（扁平環状体）４ｂの対向する部位の一方を表側の通路Ｐ１に、ループ状部材（扁平環状体）４ｂの対向する部位の他方を裏側の通路Ｐ２とにそれぞれ挿通させてスライドできるようにしている。
【００１３】
従って、図２に示すように、開口部１Ｅより布団２を入れて、開口部１Ｅを閉じるには、先ず、図５に示すように、第２の平坦面状部材３ａがループ状部材４ｂの開口部へ挿入できる位置までループ状部材４ｂをスライドさせる。次に、第２の平坦面状部材３ａをスライドしたループ状部材４ｂの開口部内を挿通させる（図６参照）。
次に、ループ状部材４ｂを前記スライドの方向と逆方向（図６に記載の矢印方向）にスライドさせて、第２の平坦面状部材３ａをループ状部材４ｂに係止させて（図７参照）、第２の平坦面状部材３ａの移動を規制して、係止部材３と被係止部材４との係止状態を保持するようにしている。
なお、布団カバー１から布団２を取り出すときには、上述と逆の操作をして、係止部材３と被係止部材４との係止状態を解除して開口部１Ｅを開けて、開口部１Ｅを介して布団カバー１から布団２を取り出すようにする。
【００１４】
上述した本実施例の布団カバー１によれば、従来のように、紐を結んだり、外したりせず、第２の平坦面状部材３ａがループ状部材４ｂの開口部へ挿入できる位置までループ状部材４ｂをスライドさせ、第２の平坦面状部材３ａをスライドしたループ状部材４ｂの開口部内を挿通させ、ループ状部材４ｂを前記スライドの方向と逆方向にスライドさせて、第２の平坦面状部材３ａをループ状部材４ｂに係止させて、第２の平坦面状部材３ａの移動を規制するため、開口部１Ｅの開閉が簡易となり作業性を向上させ、特に、手が不自由な人にとっては、頗る便利となる効果を有する。
また、係止部材３及び被係止部材４は、共に扁平した形状で、且つ、布製とすれば、布団カバー１を傷付けることなく洗濯することができる。
【００１５】
上述した係止部材３、被係止部材４は、布団カバー１のみならず、例えば、図１７に示す衣服１０でも良く、一方の側の部位１ｅに係止部材３、他方の側の部位１ｅ’に係止部材３に係止される被係止部材４が取り付けられ、被係止部材４に係止部材３を係脱する係止体であれば良い。
【符号の説明】
【００１６】
１      布団カバー
１Ｅ    開口部
１ｅ    一方の側の部位
１ｅ’  他方の側の部位
２      布団
３      係止部材
３ａ    第２の平坦面状部材
４      被係止部材
４ｂ    ループ状部材
【図１】
0005805412.tif 000002
【図２】
0005805412.tif 000003
【図３】
0005805412.tif 000004
【図４】
0005805412.tif 000005
【図５】
0005805412.tif 000006
【図６】
0005805412.tif 000007
【図７】
0005805412.tif 000008
【図８】
0005805412.tif 000009
【図９】
0005805412.tif 000010
【図１０】
0005805412.tif 000011
【図１１】
0005805412.tif 000012
【図１２】
0005805412.tif 000013
【図１３】
0005805412.tif 000014
【図１４】
0005805412.tif 000015
【図１５】
0005805412.tif 000016
【図１６】
0005805412.tif 000017
【図１７】
0005805412.tif 000018